(57)【要約】  電力制御装置において、電流情報取得部（３５１）は、分岐ブレーカに対応して設置される電流測定装置が計測した電流値を取得する。運転情報取得部（３５２）は、電気機器から、電源がオンになったことを表す運転情報を取得する。特定部（３５３）は、運転情報取得部（３５２）により運転情報が取得されたときに、測定した電流値が上昇した電流測定装置に対応する分岐ブレーカを、運転情報取得部（３５２）により取得された運転情報を送信した電気機器が接続されている分岐ブレーカとして特定する。
2014155561.tif 000002
【特許請求の範囲】
【請求項１】
複数の分岐ブレーカのそれぞれに対応するように設置された複数の電流測定装置と、該複数の分岐ブレーカのうちいずれかから電力が供給される電気機器と、該複数の電流測定装置及び該電気機器と通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する測定装置側通信部と、を備え、
前記電気機器は、
自身の運転状態を表す運転情報を前記電力制御装置に送信する機器側通信部を備え、
前記電力制御装置は、
前記複数の電流測定装置のそれぞれから電流情報を取得する電流情報取得部と、
前記電気機器から運転情報を取得する運転情報取得部と、
前記電流情報取得部により取得された電流情報と、前記運転情報取得部により取得された運転情報と、に基づいて、前記運転情報取得部により取得された運転情報を送信した電気機器が接続されている分岐ブレーカを特定する特定部と、を備える、
電力監視システム。
【請求項２】
前記特定部は、前記電流情報取得部により取得された電流情報のうち、電気機器の電源がオンになったことを表す運転情報が前記運転情報取得部により取得されたときの電流値の増加量が所定の閾値を超えた電流情報を送信した電流測定装置に対応付けられた分岐ブレーカを、該運転情報を送信した電気機器が接続されている分岐ブレーカとして特定する、
請求項１に記載の電力監視システム。
【請求項３】
前記特定部は、前記電流情報取得部により取得された電流情報のうち、電気機器の電源がオフになったことを表す運転情報が前記運転情報取得部により取得されたときの電流値の減少量が所定の閾値を超えた電流情報を送信した電流測定装置に対応付けられた分岐ブレーカを、該運転情報を送信した電気機器が接続されている分岐ブレーカとして特定する、
請求項１に記載の電力監視システム。
【請求項４】
前記電力制御装置は、
前記運転情報取得部により取得された運転情報を送信した電気機器と、前記特定部により特定された分岐ブレーカと、を対応付けて記憶するブレーカ・機器情報記憶部と、
前記電流情報取得部により取得された電流情報に基づいて、前記複数の分岐ブレーカ毎の使用電力量を算出し、算出された使用電力量が所定の条件を満たすか否かを判定する電力判定部と、
前記電力判定部により、算出された使用電力量が所定の条件を満たすと判定された場合、所定の条件を満たすと判定された使用電力量に係る分岐ブレーカに対応する電気機器を、前記ブレーカ・機器情報記憶部から特定し、特定された電気機器が使用する電力を抑制するように制御するための制御情報を、該特定された電気機器に出力する運転制御部と、をさらに備える、
請求項１乃至３のいずれか１項に記載の電力監視システム。
【請求項５】
前記電力制御装置は、
電気機器が使用する電力を抑制するための制御を優先的に行う電気機器の順位を記憶する優先情報記憶部をさらに備え、
前記運転制御部は、前記特定された電気機器の順位を前記優先情報記憶部から特定し、特定された順位が高い順に、前記特定された電気機器が使用する電力を抑制する度合が大きくなるように、前記特定された電気機器を制御するための制御情報を生成し、前記特定された電気機器に出力する、
請求項４に記載の電力監視システム。
【請求項６】
複数の分岐ブレーカのそれぞれに対応するように設置された複数の電流測定装置と、該複数の分岐ブレーカのうちいずれかから電力が供給される電気機器と、に通信可能に接続する電力制御装置であって、
前記複数の電流測定装置のそれぞれから、対応する分岐ブレーカに流れる電流値を表す電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記運転情報取得部により取得された運転情報を送信した電気機器が接続されている分岐ブレーカを特定する特定部と、
を備える電力制御装置。
【請求項７】
複数の分岐ブレーカのそれぞれに対応するように設置された複数の電流測定装置と、該複数の分岐ブレーカのうちいずれかから電力が供給される電気機器と、に通信可能に接続する電力制御装置を制御する電力制御方法であって、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記運転情報取得ステップにより取得された運転情報を送信した電気機器が接続されている分岐ブレーカを特定する特定ステップと、
を有する電力制御方法。
【請求項８】
複数の分岐ブレーカのそれぞれに対応するように設置された複数の電流測定装置と、該複数の分岐ブレーカのうちいずれかから電力が供給される電気機器と、に通信可能に接続する電力制御装置に、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記運転情報取得ステップにより取得された運転情報を送信した電気機器が接続されている分岐ブレーカを特定する特定ステップと、
を実行させるためのプログラム。
【発明の詳細な説明】
【技術分野】
【０００１】
本発明は、電力監視システム、電力制御装置、電力制御方法、及びプログラムに関する。
【背景技術】
【０００２】
住宅内の部屋毎に設置される分岐ブレーカの使用電力を監視する技術として、特許文献１には、各分岐ブレーカに監視装置を取り付け、分岐ブレーカの使用電力量を監視する電力管理システムが開示されている。この電力管理システムにおいて、分岐ブレーカの使用電力量が、その分岐ブレーカが落ちる上限値を超えそうな場合、その分岐ブレーカに接続された電気機器が、予め定められた優先順位に従って、その使用電力が下がるように制御される。
【先行技術文献】
【特許文献】
【０００３】
【特許文献１】特開２００９−１３０９７４号公報
【発明の概要】
【発明が解決しようとする課題】
【０００４】
しかし、特許文献１に開示されている電力管理システムでは、各分岐ブレーカに接続されている電気機器を予め設定しておく必要がある。すなわち、分岐ブレーカは通常部屋毎に割り付けられているので、部屋に設置されている電気機器の情報を、電気使用量を監視するコントローラに設定しておく必要がある。そのため、空調機や冷蔵庫のように一度設置した後にあまり移動させない電気機器については、その設定を頻繁に変更する必要がないが、掃除機のように一時的に部屋のコンセントに接続して使用する電気機器は、その都度に設定を更新しなければならない。しかし、このように設定を頻繁に更新することは現実的ではない。【０００５】
本発明は、上記実情に鑑みてなされたものであり、容易に分岐ブレーカに接続されている電気機器を特定することが可能な電力監視システム、電力制御装置、電力制御方法、及びプログラムを提供することを目的とする。
【課題を解決するための手段】
【０００６】
上記目的を達成するために、本発明に係る電力監視システムは、
複数の分岐ブレーカのそれぞれに対応するように設置された複数の電流測定装置と、該複数の分岐ブレーカのうちいずれかから電力が供給される電気機器と、該複数の電流測定装置及び該電気機器と通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する測定装置側通信部と、を備え、
前記電気機器は、
自身の運転状態を表す運転情報を前記電力制御装置に送信する機器側通信部を備え、
前記電力制御装置は、
前記複数の電流測定装置のそれぞれから電流情報を取得する電流情報取得部と、
前記電気機器から運転情報を取得する運転情報取得部と、
前記電流情報取得部により取得された電流情報と、前記運転情報取得部により取得された運転情報と、に基づいて、前記運転情報取得部により取得された運転情報を送信した電気機器が接続されている分岐ブレーカを特定する特定部と、を備える、
ことを特徴とする。
【発明の効果】
【０００７】
本発明によれば、容易に分岐ブレーカに接続されている電気機器を特定することができる。
【図面の簡単な説明】
【０００８】
【図１】本発明の実施形態１に係る電力監視システムの全体構成を示す図である。
【図２】実施形態１に係る電流測定装置の構成の一例を示すブロック図である。
【図３】実施形態１に係る電気機器の構成の一例を示すブロック図である。
【図４】実施形態１に係る電力制御装置のハードウェア構成の一例を示すブロック図である。
【図５】実施形態１に係るブレーカ・機器情報ＤＢに格納されたデータの一例を示す図である。
【図６】実施形態１に係る電力制御装置の制御部の機能構成の一例を示すブロック図である。
【図７】実施形態１に係るブレーカ・機器設定処理のフローチャートの一例である。
【図８】電流測定装置により測定された電流値の時間推移の一例を示す図である。
【図９】運転制御処理のフローチャートの一例である。
【図１０】実施形態２に係るブレーカ・機器設定処理のフローチャートの一例である。
【図１１】電流測定装置により測定された電流値の時間推移の一例を示す図である。
【図１２】実施形態３に係る電力制御装置のハードウェア構成の一例を示すブロック図である
【図１３】実施形態３に係る優先順位情報ＤＢに格納されたデータの一例を示す図である。
【図１４】実施形態３に係る電力制御装置の制御部の機能構成の一例を示すブロック図である。
【図１５】実施形態３に係る運転制御処理のフローチャートの一例である。
【発明を実施するための形態】
【０００９】
本発明の実施の形態について、図面を参照して詳細に説明する。
【００１０】
（実施形態１）
図１は、本発明の実施形態１に係る電力監視システム１の全体構成を示す図である。図１に示すように、電力監視システム１は、複数の電流測定装置１００（１００ａ，１００ｂ，１００ｃ）と、複数の電気機器２００（２００ａ，２００ｂ，２００ｃ）と、電力制御装置３００と、から構成される。電力制御装置３００は、各電流測定装置１００及び各電気機器２００と、有線又は無線にて通信可能に接続されている。
【００１１】
電流測定装置１００は、メインブレーカ４００の二次側から分岐した電路にそれぞれ設置される複数の分岐ブレーカ５００（５００ａ，５００ｂ，５００ｃ）にそれぞれ対応するように設置されている。分岐ブレーカ５００は、図示しない分岐回路毎に設けられる。そして、分岐回路に所定値以上の電流が流れると、分岐ブレーカ５００は、当該分岐回路に対応するコンセント等の配線端末に接続される電気機器２００への電力の供給を遮断する。
【００１２】
本実施形態では、図１に示すように、分岐ブレーカ５００ａは、コンセント６００ａに対応し、分岐ブレーカ５００ｂは、コンセント６００ｂに対応し、分岐ブレーカ５００ｃは、コンセント６００ｃに対応する。なお、図１に示す分岐ブレーカ５００及びコンセント６００（６００ａ，６００ｂ，６００ｃ）の数は一例であり、これに限られない。
【００１３】
図２に、本実施形態に係る電流測定装置１００の構成の一例を示す。図２に示すように、電流測定装置１００は、電流計測部１１０と、記憶部１２０と、通信部１３０と、を備える。電流計測部１１０は、対応する分岐ブレーカの配線に流れる電流値を計測する。記憶部１２０は、不揮発性の半導体メモリ等の記録媒体から構成され、分岐ブレーカ５００の中から電流測定装置１００に対応する分岐ブレーカ５００を一意に識別するために予め割りふられた識別子であるブレーカＩＤを記憶する。通信部１３０は、所定の時間間隔で、計測部１１０が計測した電流値と、記憶部１２０に記憶されたブレーカＩＤと、を含む電流値情報を生成し、電力制御装置３００に送信する。
【００１４】
電気機器２００は、複数の分岐ブレーカ５００のうちいずれかから供給される電力を用いて駆動する機器である。具体的には、図１に示すように、電気機器２００ａは、コンセント６００ａに接続され、コンセント６００ａを介して分岐ブレーカ５００ａから電力を供給される。また、電気機器２００ｂは、コンセント６００ｂに接続され、コンセント６００ｂを介して分岐ブレーカ５００ｂから電力を供給される。また、電気機器２００ｃは、コンセント６００ｃに接続され、コンセント６００ｃを介して分岐ブレーカ５００ｃから電力を供給される。
【００１５】
本実施形態に係る電気機器２００は、空調機器、冷蔵庫、ＩＨ調理器といった、建物内に一度設置された後は頻繁に移動させない電気機器、すなわち電力供給元である分岐ブレーカ５００が頻繁に変更しえない電気機器や、掃除機といった建物内の様々な場所で使用される電気機器、すなわち電力供給元である分岐ブレーカ５００が頻繁に変更しうる電気機器を含む。例えば、電気機器２００ａのうちの１つは、図１ではコンセント６００ａに接続されているが、ある時はコンセント６００ｂに接続され、また別の時はコンセント６００ｃに接続されるといったように、接続されるコンセント６００が頻繁に変更される電気機器であってもよい。なお、図１に示す電気機器２００の数は一例であり、これに限られない。
【００１６】
図３に、本実施形態に係る電気機器２００の構成の一例を示す。図３に示すように、電気機器２００は、運転制御部２１０と、駆動部２２０と、記憶部２３０と、通信部２４０と、を備える。運転制御部２１０は、通信部２３０が受信した制御情報に基づいて、駆動部２２０の運転を制御する。また、運転制御部２１０は、ユーザから入力部（図示せず）を介して受け付けた操作情報に基づいて、駆動部２２０の運転を制御してもよい。駆動部２２０は、電気機器２００が接続された分岐ブレーカ５００から供給される電力を電源として駆動する。記憶部２３０は、不揮発性の半導体メモリ等の記録媒体から構成され、複数の電気機器２００を一意に識別するために予め割りふられた識別子である機器ＩＤを記憶する。通信部２４０は、電気機器２００の運転状態が所定の条件を満たす場合、その運転状態と、記憶部２３０に記憶された機器ＩＤを含む運転情報を生成し、電力制御装置３００に送信する。本実施形態において、電気機器２００の電源がオフからオンに変化したことを条件として、通信部２４０は、電気機器２００の電源がオフからオンに変化したことを表すデータと、電気機器２００の機器ＩＤとを含む運転情報を電力制御装置３００に送信する。
【００１７】
電力制御装置３００は、電流測定装置１００から取得した電流値と、電気機器２００から受信した運転情報と、に基づいて、その運転情報を送信した電気機器２００に接続している分岐ブレーカ５００を特定する。また、電力制御装置３００は、各分岐ブレーカ５００を通して使用される電力を監視し、その使用電力が所定の閾値を超えないように電気機器２００を制御するための制御情報を電気機器２００に送信する。
【００１８】
次に、本実施形態における電力制御装置３００の構成について詳細に説明する。
【００１９】
図４に本実施形態に係る電力制御装置３００のハードウェア構成の一例を示す。図４に示すように、電力制御装置３００は、通信部３１０と、入力部３２０と、表示部３３０と、記憶部３４０と、制御部３５０とを備え、各部はバス３６０により接続されている。
【００２０】
通信部３１０は、各電力測定装置１００及び各電気機器２００と、無線又は有線による通信を行うためのインターフェースから構成される。
【００２１】
入力部３２０は、ボタン、タッチパネル、キーボード等の入力装置から構成される。入力部３２０は、ユーザからの操作入力を受け付け、受け付けた操作入力に対応する操作入力信号を制御部３５０に出力する。
【００２２】
表示部３３０は、ＣＲＴ（Cathode Ray Tube）や液晶ディスプレイ等の表示装置から構成され、制御部３５０から供給される文字や画像等のデータを表示する。
【００２３】
記憶部３４０は、ハードディスクドライブや、フラッシュメモリ、ＳＳＤ（Solid State Drive）のような、書き込み可能な等の記憶装置から構成される。記憶部３４０は、ブレーカ・機器情報ＤＢ３４１を記憶する。
【００２４】
図５に、ブレーカ・機器情報ＤＢ３４１に格納されたデータの一例を示す。図５に示すように、ブレーカ・機器情報ＤＢ３４１は、ブレーカＩＤと、そのブレーカＩＤにより識別される分岐ブレーカ５００に接続された電気機器の機器ＩＤと、を対応付けて記憶する。例えば、分岐ブレーカ５００ａにブレーカＩＤ「ＢＲＫ＿ａ」が割り当てられ、分岐ブレーカ５００ａに機器ＩＤがそれぞれ「ＤＥＶ＿１」及び「ＤＥＶ＿２」である２つの電気機器２００が接続されている場合、ブレーカ・機器情報ＤＢ３４１には、ブレーカＩＤ「ＢＲＫ＿ａ」が、機器ＩＤ「ＤＥＶ＿１」及び「ＤＥＶ＿２」と対応付けて格納される。
【００２５】
図４に戻って、制御部３５０は、例えば、ＣＰＵ（Central Processing Unit）、ＣＰＵが実行するプログラムを格納するＲＯＭ（Read Only Memory）、ＣＰＵが生成したデータを一時的に格納するＲＡＭ（Random Access Memory）、現在時刻を計時するタイマから構成され、電力制御装置３００の全体の制御を行う。
【００２６】
図６は、制御部３５０の機能構成の一例を示すブロック図である。図６に示すように、制御部３５０は、電流情報取得部３５１、運転情報取得部３５２、特定部３５３、電力判定部３５４、運転制御部３５５として機能する。
【００２７】
電流情報取得部３５１は、通信部３１０を介して、各電流測定装置１００から、電流情報を取得する。電流情報取得部３５１により取得された電流情報は、例えば、ＲＡＭに格納される。
【００２８】
運転情報取得部３５２は、通信部３１０を介して、電気機器２００から、運転情報を取得する。
【００２９】
特定部３５３は、電流情報取得部３５１により取得された電流情報と、運転情報取得部３５２により取得された運転情報と、に基づいて、前記運転情報取得部３５２により取得された運転情報を送信した電気機器２００が接続されている分岐ブレーカ５００を特定する。
【００３０】
具体的には、特定部３５３は、電流情報取得部３５１により取得された電流情報のうち、電気機器２００の電源がオンになったことを表す運転情報が運転情報取得部３５２により取得されたときの電流値の増加量が所定の閾値を超えた電流情報を送信した電流測定装置１００に対応付けられた分岐ブレーカ５００を、その運転情報を送信した電気機器２００が接続されている分岐ブレーカ５００として特定する。そして、特定部３５３は、その運転情報を送信した電気機器２００の機器ＩＤと、特定された分岐ブレーカ５００のブレーカＩＤとを対応付けてブレーカ・機器情報ＤＢ３４１に記憶させる。
【００３１】
電力判定部３５４は、電流取得部３５１により取得された電流情報に基づいて、複数の分岐ブレーカ５００毎の使用電力量を算出し、算出された使用電力量が所定の条件を満たすか否かを判定する。
【００３２】
ここで、所定の条件とは、分岐ブレーカ５００の使用電力量Ｐが、分岐ブレーカ５００が電気機器２００への電力の供給を遮断する際の所定の閾値ＰＬを超えないように予め定められた条件である。例えば、所定の条件は、算出された分岐ブレーカの使用電力量Ｐが、所定の基準値Ｐ０（ここで、Ｐ０＜ＰＬ）を超えたことである。すなわち、電力判定部３５４は、算出された分岐ブレーカの使用電力量Ｐが、所定の基準値Ｐ０を超えた場合、算出された使用電力量が所定の条件を満たすと判定する。
【００３３】
運転制御部３５５は、電力判定部３５４により、算出された使用電力量が所定の条件を満たすと判定された場合、所定の条件を満たすと判定された使用電力量に係る分岐ブレーカ５００に対応する電気機器２００を、ブレーカ・機器情報ＤＢ３４１から特定し、特定された電気機器２００が使用する電力を抑制するように制御するための制御情報を、通信部３１０を介して特定された電気機器２００に出力する。
【００３４】
次に、本実施形態に係る電力制御装置３００の動作について説明する。
【００３５】
まず、電力制御装置３００の制御部３５０が実行するブレーカ・機器設定処理について説明する。ブレーカ・機器設定処理は、各分岐ブレーカ５００に接続されている電気機器２００を特定し、ブレーカ・機器情報ＤＢ３４１に記録する処理である。この処理は、例えば制御部３５０のＣＰＵがＲＯＭに記憶されたプログラムを読み込むことにより実行される。
【００３６】
図７は、電力制御装置３００の制御部３５０が実行するブレーカ・機器設定処理のフローチャートの一例である。ブレーカ・機器設定処理は、例えば、ユーザにより、入力部３２０を介してブレーカ・機器設定処理の実行開始を示す操作入力が入力されたことを契機として開始する。
【００３７】
運転情報取得部３５２は、通信部３１０を介して電気機器２００から運転情報を受信したか否かを判定する（ステップＳ１０１）。運転情報取得部３５２は、電気機器２００から運転情報を受信していないと判定した場合（ステップＳ１０１；Ｎｏ）、運転情報を受信するまで待ち状態となる。
【００３８】
運転情報取得部３５２は、電気機器２００から運転情報を受信したと判定した場合（ステップＳ１０１；Ｙｅｓ）、取得した運転情報に基づいて、電気機器２００の電源がオフからオンに変化したか否かを判定する（ステップＳ１０２）。運転情報取得部３５２は、電気機器２００の電源がオフからオンに変化していないと判定した場合（ステップＳ１０２；Ｎｏ）、ステップＳ１０１に処理を戻す。
【００３９】
次に、特定部３５３は、電流情報取得部３５１により取得された、電流測定装置１００ａからの電流情報に基づいて、電流測定装置１００ａにより測定された電流値が上昇したか否かを判定する（ステップＳ１０３）。
【００４０】
以下において、特定部３５３による電流測定装置１００ａにより測定された電流値が上昇したか否かの判定方法の一例について説明する。図８に、電流測定装置１００ａにより測定された電流値の時間推移を示す。なお、以下の説明では、時刻ｔ１において、コンセント６００ａに接続された電気機器２００ａ（例えば、空調機器）の電源がオンになり、時刻ｔ３において、コンセント６００ａに接続された別の電気機器２００ａ（例えば、掃除機）の電源がオンになったものとする。
【００４１】
まず時刻ｔ１において、空調機器の電源がオンになると、空調機器は電源がオンになったことを示す運転情報を電力制御装置３００に送信する。また、空調機器に接続された分岐ブレーカ５００ａに対応する電流測定装置１００ａにより測定された電流値は、時刻ｔ１から上昇を開始し、時刻ｔ２において上昇が止まる。
【００４２】
以上のように空調機器が動作するとき、時刻ｔ１において、運転情報取得部３５２は、空調機器から空調機器の電源がオンになったことを示す運転情報を取得する。そして、特定部３５３は、時刻ｔ１からの所定の時間において電流測定装置１００ａにより測定された電流値の増加分を算出し、その増加分が所定の閾値を超えているか否かを判定する。そして、算出した増加分が所定の閾値を超えている場合、特定部３５３は、電流測定装置１００ａにより測定された電流値が上昇したと判定する。
【００４３】
また時刻ｔ３において、掃除機の電源がオンになると、掃除機は電源がオンになったことを示す運転情報を電力制御装置３００に送信する。また、掃除機に接続された分岐ブレーカ５００ａに対応する電流測定装置１００ａにより測定された電流値は、時刻ｔ３から上昇を開始し、時刻ｔ４において上昇が止まる。
【００４４】
以上のように掃除機が動作するとき、時刻ｔ３において、運転情報取得部３５２は、掃除機から掃除機の電源がオンになったことを示す運転情報を取得する。そして、特定部３５３は、時刻ｔ３からの所定の時間において電流測定装置１００ａにより測定された電流値の増加分を算出し、その増加分が所定の閾値を超えているか否かを判定する。そして、算出した増加分が所定の閾値を超えている場合、特定部３５３は、電流測定装置１００ａにより測定された電流値が上昇したと判定する。
【００４５】
特定部３５３は、電流測定装置１００ａにより測定された電流値が上昇したと判定した場合（ステップＳ１０３；Ｙｅｓ）、その電流値を測定した電流測定装置１００ａに接続されている分岐ブレーカ５００ａのブレーカＩＤと、ステップＳ１０１において取得した運転情報に含まれる機器ＩＤとを対応付けて、ブレーカ・機器情報ＤＢ３４１に格納する（ステップＳ１０４）。そして、ステップＳ１０１に処理を戻す。
【００４６】
特定部３５３は、電流測定装置１００ａにより測定された電流値が上昇していないと判定した場合（ステップＳ１０３；Ｎｏ）、電流情報取得部３５１により取得された電流測定装置１００ｂからの電流情報に基づいて、ステップＳ１０３と同様に、電流測定装置１００ｂにより測定された電流値が上昇したか否かを判定する（ステップＳ１０５）。
【００４７】
特定部３５３は、電流測定装置１００ｂにより測定された電流値が上昇したと判定した場合（ステップＳ１０５；Ｙｅｓ）、その電流値を測定した電流測定装置１００ｂに接続されている分岐ブレーカ５００ｂのブレーカＩＤと、ステップＳ１０１において取得した運転情報に含まれる機器ＩＤとを対応付けて、ブレーカ・機器情報ＤＢ３４１に格納する（ステップＳ１０６）。そして、ステップＳ１０１に処理を戻す。
【００４８】
特定部３５３は、電流測定装置１００ｂにより測定された電流値が上昇していないと判定した場合（ステップＳ１０５；Ｎｏ）、電流情報取得部３５１により取得された電流測定装置１００ｃからの電流情報に基づいて、ステップＳ１０３と同様に、電流測定装置１００ｃにより測定された電流値が上昇したか否かを判定する（ステップＳ１０７）。
【００４９】
特定部３５３は、電流測定装置１００ｃにより測定された電流値が上昇したと判定した場合（ステップＳ１０７；Ｙｅｓ）、その電流値を測定した電流測定装置１００ｃに接続されている分岐ブレーカ５００ｃのブレーカＩＤと、ステップＳ１０１において取得した運転情報に含まれる機器ＩＤとを対応付けて、ブレーカ・機器情報ＤＢ３４１に格納する（ステップＳ１０８）。そして、ステップＳ１０１に処理を戻す。
【００５０】
特定部３５３は、電流測定装置１００ｃにより測定された電流値が上昇していないと判定した場合（ステップＳ１０７；Ｎｏ）、ステップＳ１０１に処理を戻す。そして、制御部３５０は、ステップＳ１０１〜Ｓ１０８の処理を、例えば、ユーザにより入力部３２０を介して、ブレーカ・機器設定処理を終了する旨の操作を受け付けるまで繰り返す。
【００５１】
以上のブレーカ・機器設定処理により、電流情報取得部３５１により取得された電流情報のうち、電気機器２００の電源がオンになったことを表す運転情報が運転情報取得部３５２により取得されたときの電流値の増加量が所定の閾値を超えた電流情報を送信した電流測定装置１００に対応付けられた分岐ブレーカ５００が、その運転情報を送信した電気機器２００に接続されている分岐ブレーカ５００として特定される。そして、ブレーカ・機器情報ＤＢ３４１には、分岐ブレーカ５００と、分岐ブレーカに接続されている電気機器２００との対応関係が記憶される。
【００５２】
次に、電力制御装置３００の制御部３５０が実行する運転制御処理について説明する。運転制御処理は、電流測定装置１００により測定された電流値に応じて、電流測定装置１００に対応する分岐ブレーカ５００に接続された電気機器２００の動作を制御する処理である。この処理は、例えば制御部３５０のＣＰＵがＲＯＭに記憶されたプログラムを読み込むことにより実行される。
【００５３】
図９は、電力制御装置３００の制御部３５０が実行する運転制御処理のフローチャートの一例である。運転制御処理は、例えば、入力部３２０が、ユーザから運転制御処理の実行を開始する旨の操作入力を受け付けたことを契機として開始する。
【００５４】
まず、電力判定部３５４は、電流情報取得部３５１により取得された電流情報に基づいて、複数の分岐ブレーカ５００毎の使用電力量を算出し、算出された全ての使用電力量が、所定の基準値を超えたか否かを判定する（ステップＳ２０１）。算出された全ての使用電力量が、所定の基準値を超えていないと判定した場合（ステップＳ２０１；Ｎｏ）、電力判定部３５４は、所定の基準値を超えたと判定するまで待ち状態となる。
【００５５】
電力判定部３５４は、算出された全ての使用電力量のうち、所定の基準値を超えた使用電力量があると判定した場合（ステップＳ２０１；Ｙｅｓ）、運転制御部３５５は、使用電力量が所定の基準値を超えた分岐ブレーカ５００のブレーカＩＤに対応する電気機器２００を、ブレーカ・機器情報ＤＢ３４１を参照して特定する（ステップＳ２０２）。
【００５６】
次に、運転制御部３５５は、ステップＳ２０２で特定した電気機器２００の使用電力を抑制するための制御情報を生成し、通信部３１０を介してその電気機器２００に出力する（ステップＳ２０３）。また、特定された電気機器２００が複数ある場合には、それぞれの電気機器２００についての制御情報を生成し、それぞれの電気機器２００に出力する。そして、ステップＳ２０１に処理を戻す。
【００５７】
制御部３５０は、以上の処理を、例えば、ユーザから運転制御処理の終了を指示する操作入力を受け付けるまで繰り返し実行する。
【００５８】
以上説明したように、本実施形態の電力制御装置３００は、電気機器２００から電源がオンになったことを表す運転情報を取得したときに電流値が上昇した電流測定装置１００に接続されている分岐ブレーカ５００を、その運転情報を送信した電気機器２００が接続されている分岐ブレーカ５００として特定する。従って、容易に分岐ブレーカ５００に接続されている電気機器２００を特定することができる。そして、電力制御装置３００は、運転情報を送信した電気機器２００と、特定された分岐ブレーカ５００とを対応付けてブレーカ・機器情報ＤＢ３４１に記録する。従って、分岐ブレーカ５００に接続される電気機器２００が頻繁に変化しても、その電気機器が接続する分岐ブレーカ５００を特定し、その分岐ブレーカ５００の使用電力量に基づいて、その電気機器の運転を制御することができる。
【００５９】
（実施形態２）
本発明の実施形態１に係る電力監視システム１において、電力制御装置３００は、電気機器２００から電源がオンされたことを示す運転情報を取得した場合に、電流値が上昇した分岐ブレーカ５００と電気機器２００とを対応付けて記録した。しかし、電力制御装置３００が、分岐ブレーカ５００と電気機器２００とを対応付ける契機となる電気機器２００の運転状態はこれに限られない。実施形態２では、電力制御装置３００が、電気機器２００から電源がオフされたことを示す運転情報を取得した場合に、電流値が下降した分岐ブレーカ５００と電気機器２００とを対応付けて記録する例について説明する。なお、実施形態１と同様の構成については、同様の符号を用い、その詳細な説明を省略する。
【００６０】
実施形態２に係る電気機器２００の通信部２４０は、電気機器２００の電源がオンからオフに変化したことを所定の条件として、電気機器２００の運転状態がその所定の条件を満たした場合に、電気機器２００の電源がオンからオフに変化したことを表すデータと、電気機器２００の機器ＩＤとを含む運転情報を電力制御装置３００に送信する。
【００６１】
また、実施形態２に係る電力制御装置３００の特定部３５３は、電流情報取得部３５１により取得された電流情報のうち、電気機器２００の電源がオフになったことを表す運転情報が運転情報取得部３５２により取得されたときの電流値の減少量が所定の閾値を超えた電流情報を送信した電流測定装置１００に対応付けられた分岐ブレーカ５００を、その運転情報を送信した電気機器２００が接続されている分岐ブレーカ５００として特定する。そして、特定部３５３は、その運転情報を送信した電気機器２００の機器ＩＤと、特定された分岐ブレーカ５００のブレーカＩＤとを対応付けてブレーカ・機器情報ＤＢ３４１に記憶させる。
【００６２】
次に、実施形態２に係る電力制御装置３００の動作について説明する。
【００６３】
まず、電力制御装置３００の制御部３５０が実行するブレーカ・機器設定処理について説明する。ブレーカ・機器設定処理は、各分岐ブレーカ５００に接続されている電気機器２００を特定し、ブレーカ・機器情報ＤＢ３４１に記録する処理である。この処理は、例えば制御部３５０のＣＰＵがＲＯＭに記憶されたプログラムを読み込むことにより実行される。
【００６４】
図１０は、電力制御装置３００の制御部３５０が実行するブレーカ・機器設定処理のフローチャートの一例である。ブレーカ・機器設定処理は、例えば、ユーザにより、入力部３２０を介してブレーカ・機器設定処理の実行開始を示す操作入力が入力されたことを契機として開始する。
【００６５】
運転情報取得部３５２は、通信部３１０を介して電気機器２００から運転情報を受信したか否かを判定する（ステップＳ３０１）。運転情報取得部３５２は、電気機器２００から運転情報を受信していないと判定した場合（ステップＳ３０１；Ｎｏ）、運転情報を受信するまで待ち状態となる。
【００６６】
運転情報取得部３５２は、電気機器２００から運転情報を受信したと判定した場合（ステップＳ３０１；Ｙｅｓ）、取得した運転情報に基づいて、電気機器２００の電源がオンからオフに変化したか否かを判定する（ステップＳ３０２）。運転情報取得部３５２は、電気機器２００の電源がオンからオフに変化していないと判定した場合（ステップＳ３０２；Ｎｏ）、ステップＳ３０１に処理を戻す。
【００６７】
次に、特定部３５３は、電流情報取得部３５１により取得された、電流測定装置１００ａからの電流情報に基づいて、電流測定装置１００ａにより測定された電流値が下降したか否かを判定する（ステップＳ３０３）。
【００６８】
以下において、特定部３５３による電流測定装置１００ａにより測定された電流値が下降したか否かの判定方法の一例について説明する。図１１に、電流測定装置１００ａにより測定された電流値の時間推移を示す。なお、以下の説明では、時刻ｔ１において、コンセント６００ａに接続された電気機器２００ａ（例えば、空調機器）の電源がオフになり、時刻ｔ３において、コンセント６００ａに接続された別の電気機器２００ａ（例えば、掃除機）の電源がオフになったものとする。
【００６９】
まず時刻ｔ１において、空調機器の電源がオフになると、空調機器は電源がオフになったことを示す運転情報を電力制御装置３００に送信する。また、空調機器に接続された分岐ブレーカ５００ａに対応する電流測定装置１００ａにより測定された電流値は、時刻ｔ１から下降を開始し、時刻ｔ２において下降が止まる。
【００７０】
以上のように空調機器が動作するとき、時刻ｔ１において、運転情報取得部３５２は、空調機器から空調機器の電源がオフになったことを示す運転情報を取得する。そして、特定部３５３は、時刻ｔ１からの所定の時間において電流測定装置１００ａにより測定された電流値の減少分を算出し、その減少分が所定の閾値を超えているか否かを判定する。そして、算出した減少分が所定の閾値を超えている場合、特定部３５３は、電流測定装置１００ａにより測定された電流値が下降したと判定する。
【００７１】
また時刻ｔ３において、掃除機の電源がオフになると、掃除機は電源がオフになったことを示す運転情報を電力制御装置３００に送信する。また、掃除機に接続された分岐ブレーカ５００ａに対応する電流測定装置１００ａにより測定された電流値は、時刻ｔ３から下降を開始し、時刻ｔ４において下降が止まる。
【００７２】
以上のように掃除機が動作するとき、時刻ｔ３において、運転情報取得部３５２は、掃除機から掃除機の電源がオフになったことを示す運転情報を取得する。そして、特定部３５３は、時刻ｔ３からの所定の時間において電流測定装置１００ａにより測定された電流値の減少分を算出し、その減少分が所定の閾値を超えているか否かを判定する。そして、算出した減少分が所定の閾値を超えている場合、特定部３５３は、電流測定装置１００ａにより測定された電流値が下降したと判定する。
【００７３】
特定部３５３は、電流測定装置１００ａにより測定された電流値が下降したと判定した場合（ステップＳ３０３；Ｙｅｓ）、その電流値を測定した電流測定装置１００ａに接続されている分岐ブレーカ５００ａのブレーカＩＤと、ステップＳ３０１において取得した運転情報に含まれる機器ＩＤとを対応付けて、ブレーカ・機器情報ＤＢ３４１に格納する（ステップＳ３０４）。そして、ステップＳ３０１に処理を戻す。
【００７４】
特定部３５３は、電流測定装置１００ａにより測定された電流値が下降していないと判定した場合（ステップＳ３０３；Ｎｏ）、電流情報取得部３５１により取得された電流測定装置１００ｂからの電流情報に基づいて、ステップＳ３０３と同様に、電流測定装置１００ｂにより測定された電流値が下降したか否かを判定する（ステップＳ３０５）。
【００７５】
特定部３５３は、電流測定装置１００ｂにより測定された電流値が下降したと判定した場合（ステップＳ３０５；Ｙｅｓ）、その電流値を測定した電流測定装置１００ｂに接続されている分岐ブレーカ５００ｂのブレーカＩＤと、ステップＳ３０１において取得した運転情報に含まれる機器ＩＤとを対応付けて、ブレーカ・機器情報ＤＢ３４１に格納する（ステップＳ３０６）。そして、ステップＳ３０１に処理を戻す。
【００７６】
特定部３５３は、電流測定装置１００ｂにより測定された電流値が下降していないと判定した場合（ステップＳ３０５；Ｎｏ）、電流情報取得部３５１により取得された電流測定装置１００ｃからの電流情報に基づいて、ステップＳ３０３と同様に、電流測定装置１００ｃにより測定された電流値が下降したか否かを判定する（ステップＳ３０７）。
【００７７】
特定部３５３は、電流測定装置１００ｃにより測定された電流値が下降したと判定した場合（ステップＳ３０７；Ｙｅｓ）、その電流値を測定した電流測定装置１００ｃに接続されている分岐ブレーカ５００ｃのブレーカＩＤと、ステップＳ３０１において取得した運転情報に含まれる機器ＩＤとを対応付けて、ブレーカ・機器情報ＤＢ３４１に格納する（ステップＳ３０８）。そして、ステップＳ３０１に処理を戻す。
【００７８】
特定部３５３は、電流測定装置１００ｃにより測定された電流値が下降していないと判定した場合（ステップＳ３０７；Ｎｏ）、ステップＳ３０１に処理を戻す。そして、制御部３５０は、ステップＳ３０１〜Ｓ３０８の処理を、例えば、ユーザにより入力部３２０を介して、ブレーカ・機器設定処理を終了する旨の操作を受け付けるまで繰り返す。
【００７９】
以上のブレーカ・機器設定処理により、電流情報取得部３５１により取得された電流情報のうち、電気機器２００の電源がオフになったことを表す運転情報が運転情報取得部３５２により取得されたときの電流値の減少量が所定の閾値を超えた電流情報を送信した電流測定装置１００に対応付けられた分岐ブレーカ５００が、その運転情報を送信した電気機器２００に接続されている分岐ブレーカ５００として特定される。そして、ブレーカ・機器情報ＤＢ３４１には、分岐ブレーカ５００と、分岐ブレーカに接続されている電気機器２００との対応関係が記憶される。
【００８０】
以上説明したように、実施形態２に係る電力制御装置３００は、電気機器２００から電源がオフになったことを表す運転情報を取得したときに電流値が下降した電流測定装置１００に接続されている分岐ブレーカ５００を、その運転情報を送信した電気機器２００が接続されている分岐ブレーカ５００として特定する。従って、上記実施形態１と同様に、容易に分岐ブレーカ５００に接続されている電気機器２００を特定することができる。また、分岐ブレーカ５００に接続される電気機器２００が頻繁に変化しても、その電気機器が接続する分岐ブレーカ５００を特定し、その分岐ブレーカ５００の使用電力量に基づいて、その電気機器の運転を制御することができる。
【００８１】
（実施形態３）
本発明の実施形態３では、電力制御装置３００が、分岐ブレーカ５００に接続された複数の電気機器２００を、予め設定された優先順位に応じて制御する例について説明する。なお、実施形態１と同様の構成については、同様の符号を用い、その詳細な説明を省略する。
【００８２】
図１２は、実施形態３に係る電力制御装置３００のハードウェア構成を示す図である。図１２に示すように、実施形態３に係る電力制御装置３００は、図４に示す実施形態１に係る電力制御装置３００の構成に加えて、さらに優先順位情報ＤＢ３４２を記憶部３４０に備える。
【００８３】
優先順位情報ＤＢ３４２は、電気機器２００の使用電力を削減するための制御をする際に、その制御を優先的に行う電気機器２００の順位を表す優先順位情報を格納する。図１３に、実施形態３に係る優先順位情報ＤＢ３４２に格納されたデータの一例を示す。図１３に示すように、優先順位情報ＤＢ３４２は、機器ＩＤと、その機器ＩＤの優先順位とを対応付けて格納する。優先順位情報ＤＢ３４２に格納される優先順位情報は、例えば、予めユーザにより、入力部３２０を介して設定されている。
【００８４】
図１４は、実施形態３に係る電力制御装置３００の制御部３５０の機能構成の一例を示すブロック図である。
【００８５】
実施形態２に係る運転制御部３５５は、電力判定部３５４により、算出された使用電力量が所定の条件を満たすと判定された場合、所定の条件を満たすと判定された使用電力量に係る分岐ブレーカ５００に対応する電気機器２００を、ブレーカ・機器情報ＤＢ３４１から特定する。また、運転制御部３５５は、特定された電気機器２００に対応する優先順位を、優先順位情報ＤＢ３４２から特定する。そして、運転制御部３５５は、特定した優先順位が高い順に電気機器２００が使用する電力を抑制する度合が大きくなるように、電気機器２００を制御するための制御情報を生成し、通信部３１０を介して電気機器２００に出力する。
【００８６】
次に、実施形態３に係る電力制御装置３００の制御部３５０が実行する運転制御処理について説明する。図９は、電力制御装置３００の制御部３５０が実行する運転制御処理のフローチャートの一例である。運転制御処理は、例えば、入力部３２０が、ユーザから運転制御処理の実行を開始する旨の操作入力を受け付けたことを契機として開始する。
【００８７】
まず、電力判定部３５４及び運転制御部３５５は、実施形態１に係る運転制御処理のステップＳ２０１〜Ｓ２０２と同様の処理を実行する（ステップＳ４０１〜Ｓ４０２）。
【００８８】
次に、運転制御部３５５は、ステップＳ４０２で特定した電気機器２００に対応する優先順位を、優先順位情報ＤＢ３４２から特定する（ステップＳ４０３）。
【００８９】
次に、運転制御部３５５は、ステップＳ４０３において特定した優先順位が高い順に電気機器２００が使用する電力を抑制する度合が大きくなるように、電気機器２００を制御するための制御情報を生成し、通信部３１０を介して電気機器２００に出力する（ステップＳ４０４）。
【００９０】
例えば、ステップＳ４０２において、分岐ブレーカ５００ａに接続する電気機器２００ａとして、機器ＩＤが「ＤＥＶ＿１」及び「ＤＥＶ＿２」である２つの電気機器２００ａが特定されたとする。このとき、ステップＳ４０３において、運転制御部３５５は、図１３に示す優先順位情報ＤＢ３４２を参照し、機器ＩＤ「ＤＥＶ＿１」に対応する優先順位「３」、機器ＩＤ「ＤＥＶ＿２」に対応する優先順位「１」を特定する。そして、運転制御部３５５は、機器ＩＤ「ＤＥＶ＿２」に対応する優先順位が、機器ＩＤ「ＤＥＶ＿１」に対応する優先順位よりも高いと判定し、機器ＩＤ「ＤＥＶ＿２」である電気機器２００ａが使用する電力の削減量が、機器ＩＤ「ＤＥＶ＿１」である電気機器２００ａが使用する電力の削減量よりも大きくなるように、それぞれの電気機器２００ａを制御するための制御情報を生成し、各電気機器２００ａに出力する。そして、ステップＳ４０１に処理を戻す。
【００９１】
制御部３５０は、以上の処理を、例えば、ユーザから運転制御処理の終了を指示する操作入力を受け付けるまで繰り返し実行する。
【００９２】
以上説明したように、実施形態３に係る電力制御装置３００は、電気機器２００の使用電力量が減少するように電気機器２００を制御する際に、予め設定された優先順位に応じて、電気機器２００が使用する電力を抑制する度合を決定し、電気機器２００を制御する。従って、ユーザは、使用する電力を抑制することを望まない電気機器２００の優先順位を低く設定し、または、使用する電力を優先的に抑制することを望む電気機器２００の優先順位を高く設定することにより、ユーザが所望する電気機器２００の運転状態となるように電気機器２００を制御することができる。
【００９３】
以上、本発明の実施形態について説明したが、本発明は本実施形態によって限定されるものではない。
【００９４】
例えば、上記の実施形態１において、電力制御装置３００の特定部３５３は、電気機器２００の電源がオンになったことを表す運転情報が運転情報取得部３５２により取得されたときに、電流値が上昇した電流測定値１００に対応付けられた分岐ブレーカ５００を、その運転情報を送信した電気機器２００が接続されている分岐ブレーカ５００として特定する。そして、特定部３５３は、その運転情報を送信した電気機器２００の機器ＩＤと、特定された分岐ブレーカ５００のブレーカＩＤとを対応付けてブレーカ・機器ＩＤ３４１に記録する。
【００９５】
この場合、さらに特定部３５３は、電気機器２００の電源がオフになったことを表す運転情報が運転情報取得部３５２により取得されたときに、電流値が下降した電流測定値１００に対応付けられた分岐ブレーカ５００を、その運転情報を送信した電気機器２００が接続されている分岐ブレーカ５００として特定してもよい。そして、特定部３５３は、その運転情報を送信した電気機器２００の機器ＩＤと、特定された分岐ブレーカ５００のブレーカＩＤとを、ブレーカ・機器情報ＤＢ３４１から削除してもよい。
【００９６】
これにより、ブレーカ・機器情報ＤＢ３４１には、電源がオンされている電気機器２００と、その電気機器２００が接続されている分岐ブレーカ５００とが対応付けられて記憶される。
【００９７】
また、特定部３５３は、運転情報を送信した電気機器２００の機器ＩＤと、特定された分岐ブレーカ５００のブレーカＩＤとを対応付けてブレーカ・機器ＩＤ３４１に記録する際に、すでに同じ機器ＩＤがブレーカ・機器ＩＤ３４１に記憶され、かつその機器ＩＤに対応する記憶されたブレーカＩＤが異なる場合、新たに特定されたブレーカＩＤで更新してもよい。これにより、電気機器２００と分岐ブレーカ５００との最新の対応関係がブレーカ・機器ＩＤ３４１に記録することができる。
【００９８】
なお、上記実施の形態において、電力制御装置３００が実行するプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納されて配布されてもよい。そして、そのプログラムがパーソナルコンピュータ等の情報処理装置にインストールされることにより、上述の処理を実行する各装置が構成されてもよい。
【００９９】
また、プログラムは、インターネット等の通信ネットワーク上の所定のサーバ装置が有するディスク装置等に格納されてもよい。そして、プログラムは、例えば、搬送波に重畳されて、ダウンロードされてもよい。
【０１００】
また、上述の機能を、ＯＳ（Operating System）が分担して実現する場合又はＯＳとアプリケーションとの協働により実現する場合、ＯＳの機能を実現する部分以外のプログラムのみが、記録媒体に格納されて配布されてもよく、また、ダウンロードされてもよい。
【０１０１】
本発明は、本発明の広義の精神と範囲に逸脱することなく、様々な実施の形態及び変形が可能とされるものである。また、上述した実施形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１０２】
本発明は、電気機器が使用する電力を監視する電力監視システムに適する。
【符号の説明】
【０１０３】
１  電力監視システム、１００（１００ａ，１００ｂ，１００ｃ）  電流測定装置、１１０  電流計測部、１２０  記憶部、１３０  通信部、２００（２００ａ，２００ｂ，２００ｃ）  電気機器、２１０  運転制御部、２２０  駆動部、２３０  記憶部、２４０  通信部、３００  電力制御装置、３１０  通信部、３２０  入力部、３３０  表示部、３４０  記憶部、３４１  ブレーカ・機器情報ＤＢ、３４２  優先情報ＤＢ、３５０  制御部、３５１  電流情報取得部、３５２  運転情報取得部、３５３  特定部、３５４  電力判定部、３５５  運転制御部、３６０  バス、４００  メインブレーカ、５００（５００ａ，５００ｂ，５００ｃ）  分岐ブレーカ、６００（６００ａ，６００ｂ，６００ｃ）  コンセント
【図１】
2014155561.tif 000003
【図２】
2014155561.tif 000004
【図３】
2014155561.tif 000005
【図４】
2014155561.tif 000006
【図５】
2014155561.tif 000007
【図６】
2014155561.tif 000008
【図７】
2014155561.tif 000009
【図８】
2014155561.tif 000010
【図９】
2014155561.tif 000011
【図１０】
2014155561.tif 000012
【図１１】
2014155561.tif 000013
【図１２】
2014155561.tif 000014
【図１３】
2014155561.tif 000015
【図１４】
2014155561.tif 000016
【図１５】
2014155561.tif 000017
【手続補正書】
【提出日】平成27年7月31日(2015.7.31)
【手続補正１】
【補正対象書類名】明細書
【補正対象項目名】０００５
【補正方法】変更
【補正の内容】
【０００５】
本発明は、上記実情に鑑みてなされたものであり、分岐ブレーカの使用電力量を容易に抑制することが可能な電力監視システム、電力制御装置、電力制御方法、及びプログラムを提供することを目的とする。
【手続補正２】
【補正対象書類名】明細書
【補正対象項目名】０００６
【補正方法】変更
【補正の内容】
【０００６】
上記目的を達成するために、本発明に係る電力監視システムは、
複数の分岐ブレーカのそれぞれに対応するように設置された複数の電流測定装置と、該複数の分岐ブレーカのうちいずれかから電力が供給される電気機器と該複数の電流測定装置とに通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する通信部と、を備え、
前記電力制御装置は、
前記複数の電流測定装置のそれぞれから電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカの使用電力量が予め定められた条件を満たすと判定された場合、前記電気機器が使用する電力を抑制するように制御するための制御情報を前記電気機器に出力する運転制御部と、を備える。
【手続補正３】
【補正対象書類名】明細書
【補正対象項目名】０００７
【補正方法】変更
【補正の内容】
【０００７】
本発明では、分岐ブレーカに流れる電流値を表す電流情報と電気機器の運転状態を表す運転情報とに基づいて、電気機器が接続されている分岐ブレーカの使用電力量が予め定められた条件を満たすと判定された場合、電気機器が使用する電力を抑制するように制御するための制御情報が電気機器に出力される。従って、本発明によれば、分岐ブレーカの使用電力量を容易に抑制することができる。
【手続補正４】
【補正対象書類名】特許請求の範囲
【補正対象項目名】全文
【補正方法】変更
【補正の内容】
【特許請求の範囲】
【請求項１】
複数の分岐ブレーカのそれぞれに対応するように設置された複数の電流測定装置と、該複数の分岐ブレーカのうちいずれかから電力が供給される電気機器と該複数の電流測定装置とに通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する通信部と、を備え、
前記電力制御装置は、
前記複数の電流測定装置のそれぞれから電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカの使用電力量が予め定められた条件を満たすと判定された場合、前記電気機器が使用する電力を抑制するように制御するための制御情報を前記電気機器に出力する運転制御部と、を備える、
電力監視システム。
【請求項２】
前記運転制御部は、前記電流情報取得部により取得された電流情報のうち、前記電気機器の電源がオンになったことを表す運転情報が前記運転情報取得部により取得されたときの電流値の増加量が予め定められた閾値を超えた電流情報を送信した電流測定装置に対応付けられた分岐ブレーカの使用電力量が前記予め定められた条件を満たすと判定された場合、前記制御情報を前記電気機器に出力する、
請求項１に記載の電力監視システム。
【請求項３】
前記運転制御部は、前記電流情報取得部により取得された電流情報のうち、前記電気機器の電源がオフになったことを表す運転情報が前記運転情報取得部により取得されたときの電流値の減少量が予め定められた閾値を超えた電流情報を送信した電流測定装置に対応付けられた分岐ブレーカの使用電力量が前記予め定められた条件を満たすと判定された場合、前記制御情報を前記電気機器に出力する、
請求項１に記載の電力監視システム。
【請求項４】
前記電力制御装置は、複数の電気機器と通信可能に接続し、
前記運転情報取得部は、前記複数の電気機器から前記運転情報を取得し、
前記電力制御装置は、
前記電流情報取得部により取得された電流情報と、前記運転情報取得部により取得された運転情報と、に基づいて、前記運転情報取得部により取得された運転情報を送信した電気機器が接続されている分岐ブレーカを特定する特定部と、
前記運転情報取得部により取得された運転情報を送信した電気機器と、前記特定部により特定された分岐ブレーカと、を対応付けて記憶するブレーカ・機器情報記憶部と、
前記電流情報取得部により取得された電流情報に基づいて、前記複数の分岐ブレーカ毎の使用電力量を算出し、算出された使用電力量が予め定められた条件を満たすか否かを判定する電力判定部と、をさらに備え、
前記運転制御部は、前記電力判定部により、前記算出された使用電力量が前記予め定められた条件を満たすと判定された場合、前記予め定められた条件を満たすと判定された使用電力量に係る分岐ブレーカに対応する電気機器を、前記ブレーカ・機器情報記憶部から特定し、特定された電気機器が使用する電力を抑制するように制御するための制御情報を、該特定された電気機器に出力する、
請求項１から３のいずれか１項に記載の電力監視システム。
【請求項５】
前記電力制御装置は、
電気機器が使用する電力を抑制するための制御を優先的に行う電気機器の順位を記憶する優先情報記憶部をさらに備え、
前記運転制御部は、前記特定された電気機器の順位を前記優先情報記憶部から特定し、特定された順位が高い順に、前記特定された電気機器が使用する電力を抑制する度合が大きくなるように、前記特定された電気機器を制御するための制御情報を生成し、前記特定された電気機器に出力する、
請求項４に記載の電力監視システム。
【請求項６】
複数の分岐ブレーカのそれぞれに対応するように設置された複数の電流測定装置と、該複数の分岐ブレーカのうちいずれかから電力が供給される電気機器と、に通信可能に接続する電力制御装置であって、
前記複数の電流測定装置のそれぞれから、対応する分岐ブレーカに流れる電流値を表す電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカの使用電力量が予め定められた条件を満たすと判定された場合、前記電気機器が使用する電力を抑制するように制御するための制御情報を前記電気機器に出力する運転制御部と、
を備える電力制御装置。
【請求項７】
複数の分岐ブレーカのそれぞれに対応するように設置された複数の電流測定装置と、該複数の分岐ブレーカのうちいずれかから電力が供給される電気機器と、に通信可能に接続する電力制御装置を制御する電力制御方法であって、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記電気機器が接続されている分岐ブレーカの使用電力量が予め定められた条件を満たすと判定された場合、前記電気機器が使用する電力を抑制するように制御するための制御情報を前記電気機器に出力する運転制御ステップと、
を有する電力制御方法。
【請求項８】
複数の分岐ブレーカのそれぞれに対応するように設置された複数の電流測定装置と、該複数の分岐ブレーカのうちいずれかから電力が供給される電気機器と、に通信可能に接続する電力制御装置に、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記電気機器が接続されている分岐ブレーカの使用電力量が予め定められた条件を満たすと判定された場合、前記電気機器が使用する電力を抑制するように制御するための制御情報を前記電気機器に出力する運転制御ステップと、
を実行させるためのプログラム。
【手続補正書】
【提出日】平成28年10月31日(2016.10.31)
【手続補正１】
【補正対象書類名】明細書
【補正対象項目名】０００５
【補正方法】変更
【補正の内容】
【０００５】
本発明は、上記実情に鑑みてなされたものであり、電気機器が接続されている分岐ブレーカを容易に特定することが可能な電力監視システム、電力制御装置、電力制御方法、及びプログラムを提供することを目的とする。
【手続補正２】
【補正対象書類名】明細書
【補正対象項目名】０００６
【補正方法】変更
【補正の内容】
【０００６】
上記目的を達成するために、本発明に係る電力監視システムは、
複数の分岐ブレーカのそれぞれに対応するように設置された複数の電流測定装置と、該複数の分岐ブレーカのうちいずれかから電力が供給される電気機器と該複数の電流測定装置とに通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する通信部と、を備え、
前記電力制御装置は、
前記複数の電流測定装置のそれぞれから電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカを特定する特定部と、を備える。
【手続補正３】
【補正対象書類名】明細書
【補正対象項目名】０００７
【補正方法】変更
【補正の内容】
【０００７】
本発明では、分岐ブレーカに流れる電流値を表す電流情報と電気機器の運転状態を表す運転情報とに基づいて、電気機器が接続されている分岐ブレーカが特定される。従って、本発明によれば、電気機器が接続されている分岐ブレーカを容易に特定することができる。
【手続補正４】
【補正対象書類名】特許請求の範囲
【補正対象項目名】全文
【補正方法】変更
【補正の内容】
【特許請求の範囲】
【請求項１】
複数の分岐ブレーカのそれぞれに対応するように設置された複数の電流測定装置と、該複数の分岐ブレーカのうちいずれかから電力が供給される電気機器と該複数の電流測定装置とに通信可能に接続する電力制御装置と、を有する電力監視システムであって、
前記電流測定装置は、
対応する分岐ブレーカに流れる電流値を計測する電流計測部と、
計測した電流値を表す電流情報を前記電力制御装置に送信する通信部と、を備え、
前記電力制御装置は、
前記複数の電流測定装置のそれぞれから電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカを特定する特定部と、を備える、
電力監視システム。
【請求項２】
前記特定部は、前記電流情報取得部により取得された電流情報のうち、前記電気機器の電源がオンになったことを表す運転情報が前記運転情報取得部により取得されたときの電流値の増加量が予め定められた閾値を超えた電流情報を送信した電流測定装置に対応付けられた分岐ブレーカを、前記電気機器が接続されている分岐ブレーカとして特定する、
請求項１に記載の電力監視システム。
【請求項３】
前記特定部は、前記電流情報取得部により取得された電流情報のうち、前記電気機器の電源がオフになったことを表す運転情報が前記運転情報取得部により取得されたときの電流値の減少量が予め定められた閾値を超えた電流情報を送信した電流測定装置に対応付けられた分岐ブレーカを、前記電気機器が接続されている分岐ブレーカとして特定する、
請求項１に記載の電力監視システム。
【請求項４】
前記電力制御装置は、複数の電気機器と通信可能に接続し、
前記運転情報取得部は、前記複数の電気機器から前記運転情報を取得し、
前記特定部は、前記電流情報取得部により取得された電流情報と、前記運転情報取得部により取得された運転情報と、に基づいて、前記運転情報取得部により取得された運転情報を送信した電気機器が接続されている分岐ブレーカを特定し、
前記電力制御装置は、
前記運転情報取得部により取得された運転情報を送信した電気機器と、前記特定部により特定された分岐ブレーカと、を対応付けて記憶するブレーカ・機器情報記憶部と、
前記電流情報取得部により取得された電流情報に基づいて、前記複数の分岐ブレーカ毎の使用電力量を算出し、算出された使用電力量が予め定められた条件を満たすか否かを判定する電力判定部と、
前記電力判定部により、前記算出された使用電力量が前記予め定められた条件を満たすと判定された場合、前記予め定められた条件を満たすと判定された使用電力量に係る分岐ブレーカに対応する電気機器を、前記ブレーカ・機器情報記憶部から特定し、特定された電気機器が使用する電力を抑制するように制御するための制御情報を、該特定された電気機器に出力する運転制御部と、をさらに備える、
請求項１から３のいずれか１項に記載の電力監視システム。
【請求項５】
前記電力制御装置は、
電気機器が使用する電力を抑制するための制御を優先的に行う電気機器の順位を記憶する優先情報記憶部をさらに備え、
前記運転制御部は、前記特定された電気機器の順位を前記優先情報記憶部から特定し、特定された順位が高い順に、前記特定された電気機器が使用する電力を抑制する度合が大きくなるように、前記特定された電気機器を制御するための制御情報を生成し、前記特定された電気機器に出力する、
請求項４に記載の電力監視システム。
【請求項６】
複数の分岐ブレーカのそれぞれに対応するように設置された複数の電流測定装置と、該複数の分岐ブレーカのうちいずれかから電力が供給される電気機器と、に通信可能に接続する電力制御装置であって、
前記複数の電流測定装置のそれぞれから、対応する分岐ブレーカに流れる電流値を表す電流情報を取得する電流情報取得部と、
前記電気機器から、該電気機器の運転状態を表す運転情報を取得する運転情報取得部と、
前記電流情報取得部により取得された電流情報と、前記運転情報取得部により取得された運転情報と、に基づいて、前記電気機器が接続されている分岐ブレーカを特定する特定部と、
を備える電力制御装置。
【請求項７】
複数の分岐ブレーカのそれぞれに対応するように設置された複数の電流測定装置と、該複数の分岐ブレーカのうちいずれかから電力が供給される電気機器と、に通信可能に接続する電力制御装置を制御する電力制御方法であって、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記電気機器が接続されている分岐ブレーカを特定する特定ステップと、
を有する電力制御方法。
【請求項８】
複数の分岐ブレーカのそれぞれに対応するように設置された複数の電流測定装置と、該複数の分岐ブレーカのうちいずれかから電力が供給される電気機器と、に通信可能に接続する電力制御装置に、
前記複数の電流測定装置のそれぞれから、対応する分岐ブレーカに流れる電流値を表す電流情報を取得する電流情報取得ステップと、
前記電気機器から、該電気機器の運転状態を表す運転情報を取得する運転情報取得ステップと、
前記電流情報取得ステップにおいて取得された電流情報と、前記運転情報取得ステップにより取得された運転情報と、に基づいて、前記電気機器が接続されている分岐ブレーカを特定する特定ステップと、
を実行させるためのプログラム。
【国際調査報告】
2014155561.tif 000018
2014155561.tif 000019
2014155561.tif 000020